(57)【要約】【課題】主表示装置の表示の中のある領域と同じ表示を端末表示装置にさせて、端末表示装置の位置を変えても、一度表示された画面表示を維持することができるようにする。【解決手段】この表示システムは、主表示部（１２）に画像を表示する主表示装置（１０）と、端末表示部（１３）に前記主表示部の一部の画像を表示する端末表示装置（２０）とを備える。主表示装置は、主制御部（１１）により、主表示装置の主表示部上に端末表示装置の配置位置を指定し、そこに端末表示装置が配置されたとき、主表示部における端末表示装置の配置エリアの表示画像に関する配置エリア表示画像情報を通信部（１５，１６）を介して端末表示装置に送る。端末表示装置は、端末制御部（２１）により、端末通信部（２５，２６）を介して主表示装置から送られた配置エリア表示画像情報に基づいて端末表示部に表示すると、を備える。【選択図】図３
2019061244.tif 000002
【特許請求の範囲】
【請求項１】
主表示部に画像を表示し、端末表示装置の端末表示部に前記主表示部の一部の画像を表示させる主表示装置において、
前記端末表示装置と通信接続する通信部と、
ユーザが前記主表示装置の前記主表示部上に指定する指定位置を検出する指定位置検出部と、
前記指定位置に基づいて、前記主表示装置の前記主表示部上に前記端末表示装置の配置エリアを設定する配置エリア設定部と、
前記配置エリアに前記端末表示装置が配置されたとき、前記配置エリアの表示画像に関する配置エリア表示画像情報を前記通信部を介して前記端末表示装置に送る主制御部と、
を備え、
前記端末表示装置に、前記主表示装置から送られた前記配置エリア表示画像情報に基づいて前記端末表示部に表示させることを特徴とする主表示装置。
【請求項２】
前記指定位置検出部は、ユーザが前記主表示装置の前記主表示部上にタッチした位置を前記指定位置として検出することを特徴とする請求項１に記載の主表示装置。
【請求項３】
前記配置エリア設定部は、前記指定位置および前記端末表示装置の機器情報に基づいて前記配置エリアを設定することを特徴とする請求項１または２に記載の主表示装置。
【請求項４】
前記機器情報には、画面について、サイズ、解像度、および色温度のうち少なくともいずれか１つの情報を有していることを特徴とする請求項３に記載の主表示装置。
【請求項５】
前記配置エリア表示画像情報は、前記主表示装置の配置エリアに表示されている画像のファイルデータと前記端末表示装置の画面の設定に関する画面設定情報であることを特徴とする請求項１から４のいずれか１項に記載の主表示装置。
【請求項６】
前記配置エリア表示画像情報は、前記端末表示装置の端末表示部に表示する前記主表示装置の配置エリアに表示されている画像の表示データであることを特徴とする請求項１から４のいずれか１項に記載の主表示装置。
【請求項７】
前記画面設定情報には、前記端末表示装置の解像度を含むことを特徴とする請求項５に記載の主表示装置。
【請求項８】
前記主制御部は、前記配置エリアが複数ある場合、その配置エリアに配置する複数の前記端末表示装置に同時に前記配置エリア表示画像情報を送ることを特徴とする請求項１から７のいずれか１項に記載の主表示装置。
【請求項９】
前記配置エリアが前記主表示装置の前記主表示部に表示された複数の文書または画像にまたがるように設定された場合、前記複数の文書または画像のうちの何れか１つのみを表示させることが可能であることを特徴とする請求項１から８のいずれか１項に記載の主表示装置。
【請求項１０】
主表示部に画像を表示する主表示装置と、端末表示部に前記主表示部の一部の画像を表示する端末表示装置とを備える表示システムにおいて、
前記主表示装置は、
前記端末表示装置と通信接続する通信部と、
ユーザが前記主表示装置の前記主表示部上に指定する指定位置を検出する指定位置検出部と、
前記指定位置に基づいて、前記主表示装置の前記主表示部上に前記端末表示装置の配置エリアを設定する配置エリア設定部と、
前記配置エリアに前記端末表示装置が配置されたとき、前記配置エリアの表示画像に関する配置エリア表示画像情報を前記通信部を介して前記端末表示装置に送る主制御部と、
を備え、
前記端末表示装置は、
前記主表示装置と通信接続する端末通信部と、
前記端末通信部を介して前記主表示装置から送られた前記配置エリア表示画像情報に基づいて前記端末表示部に表示する端末制御部と、
を備えることを特徴とする表示システム。
【請求項１１】
前記配置エリア表示画像情報は、前記主表示装置の配置エリアに表示されている画像のファイルデータと前記端末表示装置の画面の設定に関する画面設定情報であることを特徴とする請求項１０に記載の表示システム。
【請求項１２】
前記画面設定情報には、前記端末表示装置の解像度も含まれており、
前記端末制御部は、前記解像度に従って表示することを特徴とする請求項１１に記載の表示システム。
【請求項１３】
前記端末制御部は、前記端末表示部に表示された画像を、そのまま保持することを特徴とする請求項１０から１２の何れか１項に記載の表示システム。
【請求項１４】
端末表示部に、主表示装置の主表示部の一部の画像を表示する端末表示装置において、
前記主表示装置と通信接続する端末通信部と、
前記主表示装置が、ユーザが前記主表示装置の前記主表示部上に指定する指定位置を検出し、前記指定位置に基づいて、前記主表示装置の前記主表示部上に前記端末表示装置の配置エリアを設定し、そこに前記端末表示装置が配置されたとき、前記主表示装置が前記配置エリアの表示画像に関する配置エリア表示画像情報を前記端末表示装置に送る場合、前記端末通信部を介して前記主表示装置から送られた前記配置エリア表示画像情報に基づいて前記端末表示部に表示する端末制御部と、
を備えることを特徴とする端末表示装置。
【請求項１５】
主表示部に画像を表示する主表示装置と、端末表示部に前記主表示部の一部の画像を表示する端末表示装置とを備えて、表示を行う表示方法において、
前記主表示装置により、ユーザが前記主表示装置の前記主表示部上に指定する指定位置を検出し、前記指定位置に基づいて、前記主表示装置の前記主表示部上に前記端末表示装置の配置エリアを設定し、そこに前記端末表示装置が配置されたとき、前記配置エリアの表示画像に関する配置エリア表示画像情報を前記端末表示装置に送るステップと、
前記端末表示装置により、前記主表示装置から送られた前記配置エリア表示画像情報に基づいて前記端末表示部に表示するステップと、
を備えることを特徴とする表示方法。
【発明の詳細な説明】
【技術分野】
【０００１】
本発明は、テーブルディスプレイなどの主表示装置に、タブレットＰＣなどのポータブルデバイスである端末表示装置を配置して、配置した部分の主表示装置と同じ表示を端末表示装置にさせる主表示装置、表示システム、端末表示装置及び表示方法に関する。
【背景技術】
【０００２】
近年、タブレットＰＣ等のポータブルデバイスを対面販売に用いて説明するというワークスタイルができつつある。そのため対面販売時にディスプレイを設置し、それを用いて説明することにより、速やかに情報を共有できる。
【０００３】
特許文献１には、複数のタブレットを用いて、それぞれに別の種類の情報を表示させたり、複数のタブレットを並べて載置位置を座標検出して、一つの画像を表示することが記載されている。
【先行技術文献】
【特許文献】
【０００４】
【特許文献１】特開平０９−８１４７５号公報
【発明の概要】
【発明が解決しようとする課題】
【０００５】
このようなディスプレイを用いて、たとえば保険販売等の売主と買主との対面販売等に利用される事を想定すると、一方にいる者から見て普通に表示されている画像は、他方にいる者からは逆さまに見えることになり、非常に読みにくいものとなってしまう。
【０００６】
本発明は、斯かる実情に鑑み、主表示装置の表示の中のある領域と同じ表示を端末表示装置にさせて、端末表示装置の位置を変えても、一度表示された画面表示を維持することができる主表示装置、表示システム、端末表示装置及び表示方法を提供することを目的とする。
【課題を解決するための手段】
【０００７】
本発明は、主表示部に画像を表示し、端末表示装置の端末表示部に前記主表示部の一部の画像を表示させる主表示装置において、前記端末表示装置と通信接続する通信部と、ユーザが前記主表示装置の前記主表示部上に指定する指定位置を検出する指定位置検出部と、前記指定位置に基づいて、前記主表示装置の前記主表示部上に前記端末表示装置の配置エリアを設定する配置エリア設定部と、前記配置エリアに前記端末表示装置が配置されたとき、前記配置エリアの表示画像に関する配置エリア表示画像情報を前記通信部を介して前記端末表示装置に送る主制御部と、を備え、前記端末表示装置に、前記主表示装置から送られた前記配置エリア表示画像情報に基づいて前記端末表示部に表示させることを特徴とするものである。
【０００８】
また、本発明は、主表示部に画像を表示する主表示装置と、端末表示部に前記主表示部の一部の画像を表示する端末表示装置とを備える表示システムにおいて、前記主表示装置は、前記端末表示装置と通信接続する通信部と、ユーザが前記主表示装置の前記主表示部上に指定する指定位置を検出する指定位置検出部と、前記指定位置に基づいて、前記主表示装置の前記主表示部上に前記端末表示装置の配置エリアを設定する配置エリア設定部と、前記配置エリアに前記端末表示装置が配置されたとき、前記配置エリアの表示画像に関する配置エリア表示画像情報を前記通信部を介して前記端末表示装置に送る主制御部と、を備え、前記端末表示装置は、前記主表示装置と通信接続する端末通信部と、前記端末通信部を介して前記主表示装置から送られた前記配置エリア表示画像情報に基づいて前記端末表示部に表示する端末制御部と、を備えることを特徴とするものである。
【０００９】
また、本発明は、端末表示部に、主表示装置の主表示部の一部の画像を表示する端末表示装置において、前記主表示装置と通信接続する端末通信部と、前記主表示装置が、ユーザが前記主表示装置の前記主表示部上に指定する指定位置を検出し、前記指定位置に基づいて、前記主表示装置の前記主表示部上に前記端末表示装置の配置エリアを設定し、そこに前記端末表示装置が配置されたとき、前記主表示装置が前記配置エリアの表示画像に関する配置エリア表示画像情報を前記端末表示装置に送る場合、前記端末通信部を介して前記主表示装置から送られた前記配置エリア表示画像情報に基づいて前記端末表示部に表示する端末制御部と、を備えることを特徴とするものである。
【００１０】
また、本発明は、主表示部に画像を表示する主表示装置と、端末表示部に前記主表示部の一部の画像を表示する端末表示装置とを備えて、表示を行う表示方法において、前記主表示装置により、ユーザが前記主表示装置の前記主表示部上に指定する指定位置を検出し、前記指定位置に基づいて、前記主表示装置の前記主表示部上に前記端末表示装置の配置エリアを設定し、そこに前記端末表示装置が配置されたとき、前記配置エリアの表示画像に関する配置エリア表示画像情報を前記端末表示装置に送るステップと、前記端末表示装置により、前記主表示装置から送られた前記配置エリア表示画像情報に基づいて前記端末表示部に表示するステップと、を備えることを特徴とするものである。
【発明の効果】
【００１１】
本発明によれば、主表示装置は、主表示部においてユーザによって指定された指定位置に基づき配置エリアを設定し、配置エリアの表示画像に関する配置エリア表示画像情報に基づく表示を前記端末表示部に表示させることができる。
【図面の簡単な説明】
【００１２】
【図１】第１実施形態における表示システムの構成を示す図である。
【図２】主表示装置（テーブルディスプレイ）と端末表示装置（タブレットＰＣ）の画面サイズを表した図である。
【図３】第１実施形態における表示システムを示すブロック図である。
【図４】第１実施形態における主表示装置の共有表示モードの処理を示すフローチャートである。
【図５】第１実施形態における表示システムの拡張表示モードの処理を示すフローチャートである。
【図６】第１実施形態におけるストレージアイコンを表示する主表示装置と端末表示装置を示す図である。
【図７】第１実施形態における端末表示装置の配置位置を示すタッチ処理を示す図である。
【図８】第１実施形態における端末表示装置の配置エリアである枠線を表示する図である。
【図９】第１実施形態における端末表示装置が主表示装置と同じ文書表示を行うことを示す図である。
【図１０】第１実施形態における端末表示装置の逆向き配置と表示を示す図である。
【図１１】第１実施形態における主表示装置に表示される文書の訂正と端末表示装置の文書に対するその反映を示す図である。
【図１２】第２実施形態における端末表示装置の配置位置を示すタッチ処理を示す図である。
【図１３】第２実施形態における端末表示装置の配置エリアである枠線を表示する図である。
【図１４】第２実施形態における端末表示装置が主表示装置と同じ画像表示を行うことを示す図である。
【図１５】第２実施形態における端末表示装置の逆向き配置と表示を示す図である。
【図１６】第３実施形態における端末表示装置の配置位置を示すタッチ処理を示す図である。
【図１７】第３実施形態における端末表示装置の配置エリアである枠線を表示する図である。
【図１８】第３実施形態における端末表示装置が主表示装置と同じ画像表示を行うことを示す図である。
【図１９】第３実施形態における端末表示装置の逆向き配置と表示を示す図である。第３実施形態における高解像度の端末表示装置を重ね配置して高精細画像を表示させる図である。
【図２０】第３実施形態における端末表示装置の表示を文書や画像のみの表示する図である。
【図２１】第４実施形態における端末表示装置の配置位置を示すタッチ処理を示す図である。
【図２２】第４実施形態における端末表示装置の配置エリアである枠線を表示する図である。
【図２３】第４実施形態における端末表示装置の配置エリアである枠線を回転移動する図である。
【図２４】第４実施形態における端末表示装置が主表示装置と同じ画像表示を行うことを示す図である。
【図２５】第５実施形態における主表示装置の共有表示モードの処理を示すフローチャートである。
【図２６】第５実施形態における端末表示装置の共有表示モードの処理を示すフローチャートである。
【発明を実施するための形態】
【００１３】
以下、本発明の実施の形態を添付図面を参照して説明する。
【００１４】
〔第１実施形態〕
第１実施形態は、主表示装置に表示された文書を、その上に載置した端末表示装置にも表示するものである。
【００１５】
図１は、第１実施形態における表示システムの構成を示す図である。
この表示システムは、主表示装置１０と端末表示装置２０を備える。主表示装置１０は、テーブルディスプレイであり、主表示部１２と天板部１７を備えている。主表示部１２は、液晶や有機ＥＬからなるディスプレイであり、図１では、売買契約書３１と鉢に植えられた植物の画像３２が表示されている。売買契約書３１と画像３２は、それぞれのアプリケーションソフトに対応するウィンドウに表示されている。表示天板部１７は、主表示部１２の周囲に設けられて主表示部１２を支持して保護する枠体である。
【００１６】
端末表示装置２０の前面には端末表示部２２が配置され、端末表示部２２は、液晶や有機ＥＬのディスプレイからなる。
主表示装置１０と端末表示装置２０との接続は無線が望ましいが、ＵＳＢ等の有線接続でも構わない。
【００１７】
図２は、主表示装置（テーブルディスプレイ）１０と端末表示装置（タブレットＰＣ）２０の画面サイズを表した図である。図２（ａ）に示す主表示装置１０の主表示部１２は７０インチのディスプレイ、図２（ｂ）に示す端末表示装置２０の端末表示部２２は７インチのディスプレイとする。これは一例にすぎず、他のサイズや解像度のものでも構わない。
【００１８】
主表示装置１０の主表示部１２のような大きなディスプレイの場合、高解像度の物は作りにくく、１９２０＊１０８０ドットもしくは１９２０＊１２００ドットの程度のものが主流であり、高解像度の物でも３８４０＊２１６０程度のものがあるくらいである。一方、端末表示装置２０の端末表示部２２に用いられるディスプレイは、高解像度の物を量産出来るようになっており、７インチのタブレットＰＣでも１９２０＊１２００もしくは１９２０＊１０８０のものが主流となっている。つまり、図２（ｃ）（ｄ）に示すように、両者の間には粒（ドット）の大きさが１０倍程度異なる。この差は非常に大きく、両者の鮮鋭度の差は明らかである。ここでは話を分かりやすくする為、両者とも１９２０＊１２００ドットのものを使用する事にする。仮にドットの大きさを１０倍とすると、主表示装置１０と同じ解像度で表示する場合、端末表示装置２０では、主表示装置１０の１ドットを１０＊１０の１００ドットで表現すれば良い事になる。
【００１９】
図３は、第１実施形態における表示システムを示すブロック図である。
このシステムは、テーブルディスプレイなどの大型画面を有する主表示装置１０と、タブレットＰＣなどの小型画面を有する端末表示装置２０から構成される。
主表示装置１０は、主制御部１１、主表示部１２，タッチ検出部１３、記憶部１４、第１通信部１５、第２通信部１６を備えている。また、端末表示装置２０は、端末制御部２１、端末表示部２２，タッチ検出部２３、端末記憶部２４、第１端末通信部２５、第２端末通信部２６を備えている。
【００２０】
主制御部１１と端末制御部２１は、主表示装置１０と端末表示装置２０の全体をそれぞれ制御するための機能部である。主制御部１１と端末制御部２１は、記憶部１４，２４に記憶されている各種プログラムを読み出して実行することにより各種機能を実現しており、例えばＣＰＵ（Central Process Unit）等により構成されている。
【００２１】
主表示部１２と端末表示部２２は、各種情報を表示するための機能部であり、上述したように、液晶ディスプレイ（ＬＣＤ）や、有機ＥＬディスプレイ等により構成されている。
【００２２】
タッチ検出部１３，２３は、操作者からの指またはペンによるタッチ入力の座標を検出できる機能部である。本実施形態においては、主表示部１２や端末表示部２２と一体となってタッチパネルとして形成されている。タッチ検出部１３，２３は、操作者からのタップ、ホールド、スライド、フリック、ホールドといった各種操作を検出することが可能である。
【００２３】
記憶部１４、端末記憶部２４は、主表示装置１０と端末表示装置２０の各動作に必要な各種プログラムや、各種データが記憶されている機能部である。記憶部１４，２４は、例えば、半導体メモリや、ＨＤＤ（Hard Disk Drive）等により構成されている。
【００２４】
第１通信部１５、第１端末通信部２５は、無線にて他の装置と通信（認証）するインターフェース部である。例えば、ＮＦＣ（Near Field Communication）などであり、近距離通信に限定され、「かざす」だけで、誰でも簡単にデータ通信が可能になる特徴を有する。予め認証登録しておけば、主表示装置１０に端末表示装置２０を「かざす」だけで、認証処理が行われて、互いにデータのやり取りが可能となる。
【００２５】
なお、主表示装置１０の主制御部１１と記憶部１４は、主表示装置１０に内蔵されておらず、外部に配置されるＰＣでもよい。また、記憶部１４はさらにネットワークに接続するサーバによって管理されるものでもよい。また、端末表示装置２０の端末記憶部２４はさらにネットワークに接続するサーバによって管理されるものでもよい。
【００２６】
第２通信部１６、第２端末通信部２６は、インターネットの外部ネットワークや、他の機器と接続するためのネットワークインタフェース部である。例えば、ＮＩＣ（Network Interface Card）等により構成されている。
【００２７】
図４は、第１実施形態における主表示装置の共有表示モードの処理を示すフローチャートである。図５は、第１実施形態における主表示装置の共有表示モードの処理を示すフローチャートである。図６は、第１実施形態におけるストレージアイコンを表示する主表示装置と端末表示装置を示す図である。図７は、第１実施形態における端末表示装置の配置位置を示すタッチ処理を示す図である。図８は、第１実施形態における端末表示装置の配置エリアである枠線を表示する図である。図９は、第１実施形態における端末表示装置が主表示装置と同じ文書表示を行うことを示す図である。図１０は、第１実施形態における端末表示装置の逆向き配置と表示を示す図である。図１１は、第１実施形態における主表示装置に表示される文書の訂正と端末表示装置の文書に対するその反映を示す図である。
【００２８】
ユーザが主表示装置１０のタッチ検出部１３をタッチ操作して共有表示モードに設定を行うと、主制御部１１は、図４に示すように、記憶部１４から画面制御アプリケーションを読み込み起動する（ステップＳ１１）。共有表示モードは、主表示装置１０上に載置した端末表示装置２０に主表示装置１０と同じ画面を表示させ、それをそのまま保持するモードである。従って、端末表示装置２０を移動しても表示した画面の表示は変化せず、そのままの画像を保持する。
【００２９】
一方、端末表示装置２０を起動すると、図５に示すように、端末制御部２１は、端末記憶部２４から画面制御アプリケーションを読み込み起動する（ステップＳ３１）。
【００３０】
端末表示装置２０を主表示装置１０に近づけると、主表示装置１０の第１通信部１５と端末表示装置２０の第１端末通信部２５の間で通信が可能となる。主表示装置１０の主制御部１１と、端末表示装置２０の端末制御部２１がＮＦＣによる通信可能と判定した場合（ステップＳ１２、Ｓ３２）、機器認証の通信を行い、主表示装置１０の主制御部１１が端末表示装置２０を認証するかを確認する（ステップＳ１３、Ｓ３３）。認証できれば、主表示装置１０はステップＳ１４に進み、端末表示装置２０は、ステップＳ３４に進む。認証できなければ、処理は終了する。
【００３１】
ステップＳ１４、Ｓ３４において、主表示装置１０と端末表示装置２０との間で互いの機器情報をやり取りを行う。ここで、機器情報には、画面情報が含まれており、画面について、サイズ、解像度、色温度等の情報を有している。機器情報のやり取りが終了すると、図６に示すように、主表示装置１０の主表示部１２と端末表示装置２０の端末表示部２２にストレージアイコン３３，４３を表示する（ステップＳ１５，Ｓ３５）。これによって、お互いのファイルを共有（同期）することができる。
【００３２】
図７に示すように、ユーザが主表示装置１０の主表示部１２の売買契約書３１にタッチして端末表示装置２０の配置位置を指定する（ステップＳ１６）。主表示装置１０の主制御部１１は、指定されたタッチ位置と端末表示装置２０の機器情報に基づいて、端末表示装置２０の配置位置を算出する。この場合は、売買契約書３１が端末表示部２２に表示されるように配置位置を設定する。そして配置される端末表示装置の端末表示部２２の表示座標と主表示装置１０の主表示部１２の表示座標の位置合わせ設定を行う（ステップＳ１７）。
【００３３】
次に、端末表示部２２の画面の解像度の設定を行う（ステップＳ１８）。一般的には、主表示装置１０の主表示部１２の解像度に合わせて設定を行うが、場合によっては、端末表示装置２０の端末表示部２２の解像度をそのまま用いて高精細表示を行う。
【００３４】
次に端末表示装置２０の色補正設定を行う（ステップＳ１９）。これも、一般的には、主表示装置１０の主表示部１２の色設定に合わせて設定を行う。
【００３５】
主表示装置１０の主制御部１１は、図８に示すように、端末表示装置２０の配置位置を示すマークである枠線（点線）（この枠線は端末表示装置２０の認証時に受け渡された端末表示装置２０の画面サイズ情報により求めた大きさを基に表示される。）３４を主表示部１２に表示する（ステップＳ２０）。このとき、ユーザは枠線３４の位置を所望の位置に変えることも可能である。その枠線３４を移動したときは、主表示装置１０の主制御部１１は、端末表示装置２０の座標の位置合わせ設定も行う。ここでは配置位置マークを枠線としているが、これに限定するものではなく、矢印を主表示部１２と端末表示装置２０に表示して、その先端を一致させて配置するものでもよい。
【００３６】
ユーザが端末表示装置２０を枠線３４内に配置すると（ステップＳ３６）、タッチ検出部１３が端末表示装置２０の配置を検出し、主制御部１１が枠線３４内の配置を確認する（ステップＳ２１）。枠線３４内に配置されていれば、主制御部１１は、配置エリア表示画像情報を第１通信部１５、あるいは第２通信部１６から端末表示装置２０に出力する（ステップＳ２２）。配置エリア表示画像情報は、枠線３４内の端末表示装置２０の配置エリアに表示されている画像に関する情報であり、この画面設定情報と売買契約書３１の文書ファイルデータである。
【００３７】
端末表示装置２０の端末制御部２１は、この画面設定情報とファイルデータを受信し（ステップＳ３７）、端末記憶部２４に格納する。そして、図９に示すように、これに基づいて端末表示部２２に売買契約書４１を表示する（ステップＳ３８）。主表示部１２に表示される売買契約書３１と端末表示部２２に表示される売買契約書４１は、同一の文書である。
【００３８】
ここで、配置エリア表示画像情報を、主表示装置１０から端末表示装置２０に転送して端末記憶部２４に記憶しているが、主表示装置１０の記憶部１４に記憶されている配置エリア表示画像情報を端末表示装置２０と共有してもよい。この場合は、第１通信部１５、だい２通信部１６と、第１端末通信部２５、第２端末通信部２６との間で通信を行いながら、ファイルデータを配置エリア表示画像情報を共有する。
【００３９】
端末表示装置２０は、文書ファイルデータに基づいて、主表示装置１０と同じアプリケーションにより売買契約書４１を端末表示部２２に表示する。共有表示モードは、この状態で表示画像を保持するので、端末表示装置２０の位置をずらしても表示が変化することはない。従って、図１０のように、端末表示装置２０の位置を変えて逆さまにしても、画面表示は保持され、反対側にいる顧客には大変見やすくなる。こうして、対面販売などにおいては、顧客にわかりやすい表示を提示できる。
【００４０】
さらに、図１１に示すように、主表示装置１０の記憶部１４における売買契約書３１の文書ファイルと、端末表示装置２０の端末記憶部２４における売買契約書４１の文書ファイルは同期されているので、たとえば主表示部１２に表示されている売買契約書３１に「訂正」という文字を入れると、端末表示部２２の売買契約書４１にも「訂正」という文字が入ることになる。また、逆に端末表示部２２に表示されている売買契約書４１に「訂正」という文字を入れると、主表示部１２の売買契約書３１にも「訂正」という文字が入ることになる。
【００４１】
〔第２実施形態〕
第２実施形態は、主表示装置に表示された画像を、その上に載置した端末表示装置にも表示するものである。第２実施形態において、図１〜図５は第１実施形態と共通であり、図４，５のフローチャートに従って処理を実施する。
【００４２】
図１２は、第２実施形態における端末表示装置の配置位置を示すタッチ処理を示す図である。図１３は、第２実施形態における端末表示装置の配置エリアである枠線を表示する図である。図１４は、第２実施形態における端末表示装置が主表示装置と同じ画像表示を行うことを示す図である。図１５は、第２実施形態における端末表示装置の逆向き配置と表示を示す図である。
【００４３】
ステップＳ１１〜Ｓ１５、ステップＳ３１〜Ｓ３５までは、第１実施形態と同じ処理なので、説明は省略する。
図１２に示すように、ユーザが主表示装置１０の主表示部１２の画像３２にタッチして端末表示装置２０の配置位置を指定する（ステップＳ１６）。ステップＳ１７〜Ｓ１９で各設定を行う。ステップＳ２０で、主表示装置１０の主制御部１１は、図１３に示すように、端末表示装置２０の配置エリアを示す枠線（点線）３４を主表示部１２に表示する。このとき、ユーザは枠線３４の位置を所望の位置に変えることも可能である。その枠線３４を移動したときは、主表示装置１０の主制御部１１は、端末表示装置２０の座標の位置合わせ設定も行う。
【００４４】
ユーザが端末表示装置２０を枠線３４内に配置すると（ステップＳ３６）、タッチ検出部１３が端末表示装置２０の配置を検出し、主制御部１１が枠線３４内の配置を確認し（ステップＳ２１）、枠線３４内に配置されていれば、主制御部１１は、配置エリア表示画像情報を第１通信部１５、あるいは第２通信部１６から端末表示装置２０に出力する（ステップＳ２２）。配置エリア表示画像情報は、枠線３４内の端末表示装置２０の配置エリアに表示されている画像に関する情報であり、この画面設定情報と売買契約書３１の文書ファイルデータである。
【００４５】
端末表示装置２０の端末制御部２１は、この画面設定情報とファイルデータを受信し（ステップＳ３７）、端末記憶部２４に格納する。そして図１４に示すように、これに基づいて端末表示部２２に画像４２を表示する（ステップＳ３８）。この場合、端末表示装置２０の端末表示部２２のほうが、主表示装置１０の主表示部１２よりも高解像度の画面を有しているので、端末表示部２２には画像３２よりも高解像度の画像４２を表示する。
【００４６】
ここで、配置エリア表示画像情報を、主表示装置１０から端末表示装置２０に転送して端末記憶部２４に記憶しているが、主表示装置１０の記憶部１４に記憶されている配置エリア表示画像情報を端末表示装置２０と共有してもよい。この場合は、第１通信部１５、だい２通信部１６と、第１端末通信部２５、第２端末通信部２６との間で通信を行いながら、ファイルデータを配置エリア表示画像情報を共有する。
【００４７】
端末表示装置２０は、画像ファイルデータに基づいて、主表示装置１０と同じアプリケーションにより画像４２を端末表示部２２に表示する。共有表示モードは、この状態で表示画像を保持するので、端末表示装置２０の位置をずらしても表示が変化することはない。従って、図１５のように、端末表示装置２０を逆さまにしても、画面表示は保持され、反対側にいる顧客には大変見やすくなる。こうして、対面販売などにおいては、顧客にわかりやすい表示を提示できる。
【００４８】
なお、第１実施形態と同様に、画像３２あるいは画像４２のどちらか一方に修正を行えば、記憶部１４と端末記憶部２４の画像ファイルは同期されているので、他方の画像も同じ修正が行われることになる。
【００４９】
〔第３実施形態〕
第３実施形態は、主表示装置に表示された文書と画像の両方を、その上に載置した端末表示装置にも表示するものである。第３実施形態において、図１〜図５は第１実施形態と共通であり、図４，５のフローチャートに従って処理を実施する。
【００５０】
図１６は、第３実施形態における端末表示装置の配置位置を示すタッチ処理を示す図である。図１７は、第３実施形態における端末表示装置の配置エリアである枠線を表示する図である。図１８は、第３実施形態における端末表示装置が主表示装置と同じ画像表示を行うことを示す図である。図１９は、第３実施形態における端末表示装置の逆向き配置と表示を示す図である。図２０は、第３実施形態における端末表示装置の表示を文書や画像のみの表示する図である。
【００５１】
ステップＳ１１〜Ｓ１５、ステップＳ３１〜Ｓ３５までは、第１実施形態と同じ処理なので、説明は省略する。
図１６に示すように、ユーザが主表示装置１０の主表示部１２の売買契約書３１と画像３２の間にタッチして端末表示装置２０の配置位置を指定する（ステップＳ１６）。ステップＳ１７〜Ｓ１９で各設定を行う。ステップＳ２０で、主表示装置１０の主制御部１１は、図１７に示すように、端末表示装置２０の配置エリアを示す枠線（点線）３４を主表示部１２に表示する。端末表示装置２０の端末表示部２２に売買契約書３１と画像３２にまたがるように配置エリア（枠線３４）を設定する。このとき、ユーザは枠線３４の位置を所望の位置に変えることも可能である。その枠線３４を移動したときは、主表示装置１０の主制御部１１は、端末表示装置２０の座標の位置合わせ設定も行う。
【００５２】
ユーザが端末表示装置２０を枠線３４内に配置すると、タッチ検出部１３が端末表示装置２０の配置を検出し、主制御部１１が枠線３４内の配置を確認し（ステップＳ２１）、枠線３４内に配置されていれば、主制御部１１は、配置エリア表示画像情報を第１通信部１５、あるいは第２通信部１６から端末表示装置２０に出力する（ステップＳ２２）。配置エリア表示画像情報は、枠線３４内の端末表示装置２０の配置エリアに表示されている画像に関する情報であり、この画面設定情報と売買契約書３１の文書ファイルデータである。
【００５３】
端末表示装置２０の端末制御部２１は、この画面設定情報とファイルデータを受信し（ステップＳ３７）、端末記憶部２４に格納する。そして図１８に示すように、これに基づいて端末表示部２２に売買契約書４１と画像４２を表示する（ステップＳ３８）。売買契約書４１は売買契約書３１、画像４２は画像３２と同じものである。
【００５４】
ここで、配置エリア表示画像情報を、主表示装置１０から端末表示装置２０に転送して端末記憶部２４に記憶しているが、主表示装置１０の記憶部１４に記憶されている配置エリア表示画像情報を端末表示装置２０と共有してもよい。この場合は、第１通信部１５、だい２通信部１６と、第１端末通信部２５、第２端末通信部２６との間で通信を行いながら、ファイルデータを配置エリア表示画像情報を共有する。
【００５５】
端末表示装置２０は、ファイルデータに基づいて、主表示装置１０と同じアプリケーションにより売買契約書３１と画像３２を端末表示部２２に表示する。共有表示モードは、この状態で表示画像を保持するので、端末表示装置２０の位置をずらしても表示が変化することはない。従って、図１９のように、端末表示装置２０を逆さまにしても、画面表示は保持され、反対側にいる顧客には大変見やすくなる。こうして、対面販売などにおいては、顧客にわかりやすい表示を提示できる。
【００５６】
また、図２０に示すように、端末表示装置２０は、表示されている文書や画像のみを表示させることもできる。たとえば、表示データが図２０（ａ）のように売買契約書４１と画像４２が表示されていると、図２０（ｂ）のように、売買契約書４１のみを表示させたり、画像４２を表示させることもできる。これは端末表示装置２０が主表示装置１０と同期させたファイルデータに基づいて表示を行っているためである。
【００５７】
〔第４実施形態〕
第４実施形態は、主表示装置に傾いて表示された文書を、その上に載置した端末表示装置にも表示するものである。第４実施形態において、図１〜図５は第１実施形態と共通であり、図４，５のフローチャートに従って処理を実施する。
【００５８】
ステップＳ１１〜Ｓ１５、ステップＳ３１〜Ｓ３５までは、第１実施形態と同じ処理なので、説明は省略する。
図２１は、第４実施形態における端末表示装置の配置位置を示すタッチ処理を示す図である。図２２は、第４実施形態における端末表示装置の配置エリアである枠線を表示する図である。図２３は、第４実施形態における端末表示装置の配置エリアである枠線を回転移動する図である。図２４は、第４実施形態における端末表示装置が主表示装置と同じ画像表示を行うことを示す図である。
【００５９】
図２１に示すように、ユーザが主表示装置１０の主表示部１２の売買契約書３１にタッチして端末表示装置２０の配置位置を指定する（ステップＳ１６）。図２１に示すように、売買契約書３１は傾いて表示されている。ステップＳ１７〜Ｓ１９で各設定を行う。ステップＳ２０で、主表示装置１０の主制御部１１は、図２２に示すように、端末表示装置２０の配置エリアを示す枠線（点線）３４を主表示部１２に表示する。この場合は、枠線３４が、縦配置で表示されたとする。これでは、端末表示装置２０に文書全体を表示させられないので、ユーザが枠線３４を売買契約書３１に合わせて回転させ、図２３に示すように、枠線３４内に文書３１が収まるようにする。
【００６０】
ユーザが端末表示装置２０を枠線３４内に配置すると（ステップＳ３６）、タッチ検出部１３が端末表示装置２０の配置を検出し、主制御部１１が枠線３４内の配置を確認する（ステップＳ２１）。枠線３４内に配置されていれば、主制御部１１は、配置エリア表示画像情報を第１通信部１５、あるいは第２通信部１６から端末表示装置２０に出力する（ステップＳ２２）。配置エリア表示画像情報は、枠線３４内の端末表示装置２０の配置エリアに表示されている画像に関する情報であり、この画面設定情報と売買契約書３１の文書ファイルデータである。
【００６１】
端末表示装置２０の端末制御部２１は、この画面設定情報とファイルデータを受信し（ステップＳ３７）、端末記憶部２４に格納する。そして図２４に示すように、これに基づいて端末表示部２２に売買契約書４１を表示する（ステップＳ３８）。
【００６２】
ここで、配置エリア表示画像情報を、主表示装置１０から端末表示装置２０に転送して端末記憶部２４に記憶しているが、主表示装置１０の記憶部１４に記憶されている配置エリア表示画像情報を端末表示装置２０と共有してもよい。この場合は、第１通信部１５、だい２通信部１６と、第１端末通信部２５、第２端末通信部２６との間で通信を行いながら、ファイルデータを配置エリア表示画像情報を共有する。
【００６３】
端末表示装置２０は、画像ファイルデータに基づいて、主表示装置１０と同じアプリケーションにより画像４２を端末表示部２２に表示する。共有表示モードは、この状態で表示画像を保持するので、端末表示装置２０の位置をずらしても表示が変化することはない。従って、端末表示装置２０を逆さまにしても、画面表示は保持され、反対側にいる顧客には大変見やすくなる。こうして、対面販売などにおいては、顧客にわかりやすい表示を提示できる。
【００６４】
〔第５実施形態〕
第５実施形態は、ファイルデータに基づいて端末表示装置に表示させるのではなく、単に画面の表示画像データを主表示装置が端末表示装置に送って表示させるものである。
【００６５】
図２５は、第５実施形態における主表示装置の共有表示モードの処理を示すフローチャートである。図２６は、第５実施形態における主表示装置の共有表示モードの処理を示すフローチャートである。
これらの処理は、ステップＳ４１〜Ｓ５１までは、図４のステップＳ１１〜Ｓ２１と同じであり、ステップＳ６１〜Ｓ６６までは、図５のＳ３１〜Ｓ３６と同じである。
【００６６】
主表示装置１０の主制御部１１は、端末表示装置２０の端末表示部２２に表示する表示画像データを生成する。このとき、主制御部１１が設定した画面設定情報に基づいて生成する。そして枠線３４内に端末表示装置２０が配置されていれば、主制御部１１は、この表示画像データを配置エリア表示画像情報として、第１通信部１５、あるいは第２通信部１６から端末表示装置２０に出力する（ステップＳ５２）。
【００６７】
端末表示装置２０の端末制御部２１は、この表示画像データを受信し（ステップＳ６７）、記憶部２４に格納する。これに基づいて端末表示部２２に売買契約書４１を表示する（ステップＳ６８）。主表示部１２に表示される売買契約書３１と端末表示部２２に表示される売買契約書４１は、同一の文書である。
【００６８】
ここで、配置エリア表示画像情報を、主表示装置１０から端末表示装置２０に転送して端末記憶部２４に記憶しているが、主表示装置１０の記憶部１４に記憶されている配置エリア表示画像情報を端末表示装置２０と共有してもよい。この場合は、第１通信部１５、だい２通信部１６と、第１端末通信部２５、第２端末通信部２６との間で通信を行いながら、ファイルデータを配置エリア表示画像情報を共有する。
【００６９】
端末表示装置２０は、主表示装置１０から送られた表示画像データに基づいて、端末表示装置２０が載置されたエリアの表示と同じ表示を行う。共有表示モードは、この状態で表示画像を保持するので、端末表示装置２０の位置をずらしても表示が変化することはない。従って、図１０のように、端末表示装置２０の位置を変えて逆さまにしても、画面表示は保持され、反対側にいる顧客には大変見やすくなる。こうして、対面販売などにおいては、顧客にわかりやすい表示を提示できる。また、表示されている画像を拡大縮小することも可能である。
【００７０】
また、上記の各実施形態では、端末表示装置が一つの場合について記載したが、複数あっても構わない。その場合は、主表示装置が、各端末表示装置に対してそれぞれ同時にそれぞれの配置エリアの表示に関する情報を送り、端末表示部に表示させる。
【００７１】
本発明による主表示装置１０や端末表示装置２０で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７３】
以上、この発明の実施形態を図面を参照して詳述してきたが、具体的な構成はこれらの実施形態に限られるものではなく、この発明の要旨を逸脱しない範囲の設計変更等された発明も含まれる。
【００７４】
また、発明の一態様としては、
主表示部に画像を表示する主表示装置と、端末表示部に前記主表示部の一部の画像を表示する端末表示装置とを備える表示システムにおいて、
前記主表示装置は、
前記端末表示装置と通信接続する通信部と、
前記主表示装置の主表示部上に、前記端末表示装置の画面サイズ情報に基づいて配置位置を指定し、当該配置位置に前記端末表示装置が配置されたとき、前記主表示部における前記端末表示装置の配置エリアの表示画像に関する配置エリア表示画像情報を前記通信部を介して前記端末表示装置に送る主制御部と、
を備え、
前記端末表示装置は、
前記主表示装置と通信接続する端末通信部と、
前記端末通信部を介して前記主表示装置から送られた前記配置エリア表示画像情報に基づいて前記端末表示部に表示する端末制御部と、
を備えることを特徴とする表示システムであってもよい。
【００７５】
このとき、前記配置位置は、前記画面サイズ情報により求めた大きさを基に、前記主表示部上に枠線によって指定してもよい。
【００７６】
このとき、前記配置エリア表示画像情報は、前記主表示装置の配置エリアに表示されている画像のファイルデータと前記端末表示装置の画面の設定に関する画面設定情報であってもよい。
【００７７】
このとき、前記画面設定情報には、前記端末表示装置の前記解像度も含まれており、前記端末制御部は、前記解像度に従って表示してもよい。
【００７８】
このとき、前記ファイルデータは、前記主表示装置と、前記端末表示装置とにおいて同期されてもよい。
【００７９】
このとき、前記端末制御部は、前記画面設定情報に基づき、前記ファイルデータを表示したアプリケーションの一部を前記端末表示部に表示してもよい。
【００８０】
このとき、前記配置エリア表示画像情報は、前記端末表示装置の端末表示部に表示する前記主表示装置の配置エリアに表示されている画像の表示データであってもよい。
【００８１】
このとき、前記端末制御部は、前記端末表示部に表示された画像を、そのまま保持してもよい。
【００８２】
このとき、前記主制御部は、前記配置エリアが複数ある場合、その配置エリアに配置する複数の前記端末表示装置に同時に前記配置エリア表示画像情報を送ってもよい。
【００８３】
また、発明の一態様としては、
主表示部に画像を表示し、端末表示装置の端末表示部に前記主表示部の一部の画像を表示させる主表示装置において、
前記端末表示装置と通信接続する通信部と、
前記主表示装置の主表示部上に、前記端末表示装置の画面サイズ情報に基づいて配置位置を指定し、当該配置位置に前記端末表示装置が配置されたとき、前記主表示部における前記端末表示装置の配置エリアの表示画像に関する配置エリア表示画像情報を前記通信部を介して前記端末表示装置に送る主制御部と、
を備え、
前記端末表示装置に、前記主表示装置から送られた前記配置エリア表示画像情報に基づいて前記端末表示部に表示させることを特徴とする主表示装置であってもよい。
【００８４】
また、発明の一態様としては、
端末表示部に、主表示装置の主表示部の一部の画像を表示する端末表示装置において、
前記主表示装置と通信接続する端末通信部と、
前記主表示装置が主表示部上に、前記端末表示装置の画面サイズ情報に基づいて配置位置を指定し、当該配置位置に前記端末表示装置が配置されたとき、前記主表示装置が前記主表示部における前記端末表示装置の配置エリアの表示画像に関する配置エリア表示画像情報を前記端末表示装置に送る場合、前記端末通信部を介して前記主表示装置から送られた前記配置エリア表示画像情報に基づいて前記端末表示部に表示する端末制御部と、
を備えることを特徴とする端末表示装置であってもよい。
【００８５】
また、発明の一態様としては、
主表示部に画像を表示する主表示装置と、端末表示部に前記主表示部の一部の画像を表示する端末表示装置とを備えて、表示を行う表示方法において、
前記主表示装置により、前記主表示装置の主表示部上に、前記端末表示装置の画面サイズ情報に基づいて配置位置を指定し、当該配置位置に前記端末表示装置が配置されたとき、前記主表示部における前記端末表示装置の配置エリアの表示画像に関する配置エリア表示画像情報を前記端末表示装置に送るステップと、
前記端末表示装置により、前記主表示装置から送られた前記配置エリア表示画像情報に基づいて前記端末表示部に表示するステップと、
を備えることを特徴とする表示方法であってもよい。
【符号の説明】
【００８６】
１０    ：主表示装置
１１    ：主制御部
１２    ：主表示部
１３    ：タッチ検出部
１４    ：記憶部
１５    ：第１通信部
１６    ：第２通信部
１７    ：天板部
２０    ：端末表示装置
２１    ：端末制御部
２２    ：端末表示部
２３    ：タッチ検出部
２４    ：端末記憶部
２５    ：第１端末通信部
２６    ：第２端末通信部
【図１】
2019061244.tif 000003
【図２】
2019061244.tif 000004
【図３】
2019061244.tif 000005
【図４】
2019061244.tif 000006
【図５】
2019061244.tif 000007
【図６】
2019061244.tif 000008
【図７】
2019061244.tif 000009
【図８】
2019061244.tif 000010
【図９】
2019061244.tif 000011
【図１０】
2019061244.tif 000012
【図１１】
2019061244.tif 000013
【図１２】
2019061244.tif 000014
【図１３】
2019061244.tif 000015
【図１４】
2019061244.tif 000016
【図１５】
2019061244.tif 000017
【図１６】
2019061244.tif 000018
【図１７】
2019061244.tif 000019
【図１８】
2019061244.tif 000020
【図１９】
2019061244.tif 000021
【図２０】
2019061244.tif 000022
【図２１】
2019061244.tif 000023
【図２２】
2019061244.tif 000024
【図２３】
2019061244.tif 000025
【図２４】
2019061244.tif 000026
【図２５】
2019061244.tif 000027
【図２６】
2019061244.tif 000028